(57)【要約】  柔軟な弾性材料から作られる瓶用乳首であって、中空の吸込用ニップルと、飲用瓶の開口部に固定するための円周方向の装着縁と、装着縁と吸込用ニップルと間にある中空の移行領域と、吸込用ニップルの端領域で吸込用ニップルの外面から内面まで延び、互いに並列に位置合せされており、互いからの距離が吸込用ニップルの外面から内面に向かって減少する、２つの飲用スロットと、を備えた、瓶用乳首。【選択図】  図１
2010536444.tif 000002
【特許請求の範囲】
【請求項１】
柔軟な弾性材料から作られる瓶用乳首であって、
中空の吸込用ニップル（２）と、
飲用瓶の開口部に固定するための円周方向の装着縁（４）と、
前記装着縁（４）と前記吸込用ニップル（２）と間にある中空の移行領域（３）と、
前記吸込用ニップル（２）の端領域で前記吸込用ニップル（２）の外面（１１）から内面（１２）まで延び、互いに並列に位置合せされており、かつ互いからの距離が前記吸込用ニップル（２）の前記外面（１１）から前記内面（１２）に向かって減少する、２つの飲用スロット（９，１０）と、
を備えた、瓶用乳首。
【請求項２】
前記飲用スロット（９，１０）を備えた前記吸込用ニップル（２）の外端部領域が、外側に膨らんでいる、請求項１に記載の瓶用乳首。
【請求項３】
前記飲用スロット（９，１０）を交差し、前記吸込用ニップル（２）の前記外面（１１）から前記内面（１２）まで延びるさらなる飲用スロット（１３，１４）が、前記端領域に配置されている、請求項１または２に記載の瓶用乳首。
【請求項４】
前記さらなる飲用スロット（１３，１４）のそれぞれ１つが、１つの飲用スロット（９，１０）のみを交差する、請求項３に記載の瓶用乳首。
【請求項５】
異なる飲用スロット（９、１０）を交差する前記さらなる飲用スロット（１３，１４）が、互いに偏心している、請求項４に記載の瓶用乳首。
【請求項６】
前記さらなる飲用スロット（１３，１４）が互いに並列に位置合せされている、請求項３から５のいずれか一項に記載の瓶用乳首。
【請求項７】
前記さらなる飲用スロット（１３、１４）の距離が、前記吸込用ニップル（２）の前記外面（１１）から前記内面（１２）まで変化しないままである、請求項３から６のいずれか一項に記載の瓶用乳首。
【請求項８】
前記さらなる飲用スロット（１３，１４）が、前記飲用スロット（９，１０）に対して垂直に位置合わせされている、請求項１から７のいずれか一項に記載の瓶用乳首。
【請求項９】
前記飲用スロット（９，１０）が、前記さらなる飲用スロット（１３，１４）よりも長い、請求項３から８のいずれか一項に記載の瓶用乳首。
【請求項１０】
前記吸込用ニップル（２）が、楕円形の断面を有する、請求項１から９のいずれか一項に記載の瓶用乳首。
【請求項１１】
前記飲用スロット（９，１０）が、楕円形の断面の短軸と平行して位置合わせされ、前記さらなる飲用スロット（１３，１４）がその長軸と平行である、請求項１０に記載の瓶用乳首。
【請求項１２】
前記吸込用ニップル（２）が、前記外端部に向かって先細りになっている断面を有する、請求項１から１２のいずれか一項に記載の瓶用乳首。
【請求項１３】
前記吸込用ニップル（２）が、前記装着縁（４）に対して偏心して配置されている、請求項１から１２のいずれか一項に記載の瓶用乳首。
【請求項１４】
前記装着縁（４）に最も近接した前記吸込用ニップル（２）の一面（６）が、前記装着縁（４）から最も離れて配置されている前記吸込用ニップル（２）の面よりも小さな曲線部を有する、請求項１３に記載の瓶用乳首。
【請求項１５】
前記吸込用ニップル（２）が、前記装着縁（４）から離れた面に、前記移行領域（３）に向かう丸み部（７）を有する、請求項１４に記載の瓶用乳首。
【請求項１６】
前記移行領域（３）がドーム形状である、請求項１から１５のいずれか一項に記載の瓶用乳首。
【請求項１７】
前記装着縁（４）と前記移行領域（３）との間に、円周方向の収縮部（１６）が存在する、請求項１から１６のいずれか一項に記載の瓶用乳首。
【請求項１８】
通気バルブ（１８）を備えた、請求項１から１７のいずれか一項に記載の瓶用乳首。
【請求項１９】
前記通気バルブ（１８）が、前記移行領域（３）の前記外面から前記移行領域（３）の前記内面まで延びる少なくとも１つのバルブスロット（１８，１９）を備えた、請求項１８に記載の瓶用乳首。
【請求項２０】
前記通気バルブ（１８）が、前記移行領域（３）の凹部（１７）に配置されている、請求項１９に記載の瓶用乳首。
【請求項２１】
前記凹部（１７）が、ドーム形状の移行領域（３）の外縁部（１５）の中に存在する、請求項２０に記載の瓶用乳首。
【請求項２２】
前記移行領域（３）の前記外縁部（１５）に、前記通気バルブ（１７）が前記吸込用ニップル（２）の直径方向反対側に位置している、請求項１８から２１のいずれか一項に記載の瓶用乳首。
【請求項２３】
前記装着縁（４）が装着フランジ（２１）を有する、請求項１から２２のいずれか一項に記載の瓶用乳首。
【請求項２４】
前記装着フランジ（２１）が、上縁部にある円周方向のボス（２２）を備えた、請求項１から２３のいずれか一項に記載の瓶用乳首。
【請求項２５】
前記装着縁（４）が環状の円形である、請求項１から２４のいずれか一項に記載の瓶用乳首。
【請求項２６】
天然ゴムまたはシリコーンから製造されるか、あるいは熱可塑性エラストマーから製造される、請求項１から２５のいずれか一項に記載の瓶用乳首。
【発明の詳細な説明】
【技術分野】
【０００１】
本発明は、柔軟な弾性材料から作られる瓶用の乳首に関する。
【背景技術】
【０００２】
瓶用の乳首は、乳幼児の栄養摂取に役立つものである。知られている瓶用乳首には、中空の吸込用ニップルと、飲用瓶の瓶開口部に固定するための円周方向の装着縁とがある。
【０００３】
装着縁の横断面が吸込用ニップルの横断面よりも大きいため、吸込用ニップルと装着縁との間に、吸込用ニップルから装着縁まで広がる中空の移行領域が存在する。その端領域に、吸込用ニップルは飲用の孔を有し、これを通って液体が流出可能である。バルブスロットを備えた通気バルブが、多くの場合、移行領域内に位置する。ネジ付きリングを用いて、瓶用乳首を飲用瓶の開口縁に固定する。
【０００４】
この目的を達成するために、装着縁がネジ付きリングの環状フランジの下に位置するようになるまで、瓶用乳首をネジ付きリングによってスライドさせる。ネジ付きリングを飲用瓶の雄ネジにネジ止めし、この動作によって、装着縁を瓶の開口部の開口縁とネジ付きリングとの間に固定する。同様に、飲用瓶の開口縁にある装着縁のシート領域の適切な溝によって、通気バルブを実現させることが知られている。
【０００５】
乳児は、吸込用ニップルで吸込むことによって、飲用瓶に充填されている液体または他の流動食品を吸引することができる。ここでは、食品が飲用孔を通って流出し、周囲との圧力が通気バルブを介して補正される。
【０００６】
また、吸込用ニップルの長手方向に向いており、吸込用ニップルの外端領域で吸込用ニップルの外面から内面まで延びている飲用スロットを備えた、瓶用乳首がすでに知られている（例えば、特許文献１）。
【先行技術文献】
【特許文献】
【０００７】
【特許文献１】スイス国特許公開第３５７  １４９号
【発明の概要】
【発明が解決しようとする課題】
【０００８】
知られている瓶用乳首には、これらによって、供給する食品を少ししか流すことができないという欠点がある。飲用孔をあまりにも大きく構成すると、乳児が液体を支障なく、かつ吸込むことなく流出させる可能性がある。その結果、乳児は食品を摂取する訓練がなされず、その食品をこぼす可能性がある。さらに、圧力バランスを制限する通気バルブによって、食品の摂取が制限される。
【課題を解決するための手段】
【０００９】
このことから、本発明は、供給する食品の流れを増加させることができ、自然な吸込み過程に悪影響を与えることがなく、かつ、さらに高信頼度で密封し、効率的な方法で食品の意図的でないあらゆる流出を防止する、柔軟な弾性材料でできた瓶用乳首を提供するという目的に基づくものである。
【００１０】
本目的は、請求項１の特徴を有する瓶用乳首によって達成される。瓶用乳首の有利な実施形態は、サブクレームに示されている。
【００１１】
本発明による柔軟な弾性材料から作られる瓶用乳首は、中空の吸込用ニップルと、飲用瓶の開口部に固定するための円周方向の装着縁と、装着縁と吸込用ニップルと間にある中空の移行領域と、２つの飲用スロットとを有し、この飲用スロットは、吸込用ニップルの端領域で吸込用ニップルの外面から内面まで延び、互いに並列に位置合せされており、互いからの距離が吸込用ニップルの外面から内面に向かって減少する。
【００１２】
好ましい実施形態によると、２つの飲用スロットが、互いに対してある角度で傾斜している。たとえば、この角度は、０度を超えて１８０度までの範囲内にある。好ましくは、この角度は、５度から９０度までの範囲内にある。適切なナイフまたは切断装置のそれぞれによって、スロットを瓶用乳首に作成してもよい。
【００１３】
瓶用乳首を適切な柔軟な弾性材料から製造してもよい。一実施形態によると、乳首を、天然ゴムまたはシリコーンから製造するか、あるいは熱可塑性エラストマー（ＴＰＥ）から製造する。たとえば、瓶用乳首を射出成形によって製造して、ナイフを用いてスロットの次の機械加工を行ってもよい。
【発明の効果】
【００１４】
本発明による乳首では、吸込用ニップルの外面から内面に向かってその距離が減少する２つの並列の飲用スロットによって、供給する飲物や食品の流れが増加する。すなわち、吸込むと、スロット間に位置する吸込用ニップルの領域が幾分上昇するので、大きくて障害のない隙間が両スロットに形成され、これを通って液体が流出可能である。これとは対照的に、従来の乳首では、相当する量の食物を流出させることができるようにするためには、スロットを有意に変形しなければならない。
【００１５】
このことは、極めて高い吸込圧力でしか得られない。吸込用ニップルの外面から内面に向かって一定の距離を有する並列のスロットでは、実際にスロット間の領域もまた上昇することが可能である。しかし、スロット間の領域が吸込用ニップルの外面よりも上に上昇すると、出口流路の断面は開口しているだけであり、このことによって、大きく吸込むことがまた必要となる。吸込まない場合には、本発明の瓶用乳首は特に問題なく閉止している、というのは、２つのスロット間にある吸込用ニップルの領域が一種の楔を形成し、これが２つのスロットの外側に極めて近接して位置するようになるからである。
【００１６】
本発明の瓶用乳首は、カップから、すなわち高歩留まりで飲むように小児を訓練し、かつ圧力が解除された場合に安全に密封するのに特に適している。この目的のために、飲むことを学習するには、従来の飲用カップから知られているように、吸込用ニップルを装着縁に対して偏心して配置するのが好ましい。
【図面の簡単な説明】
【００１７】
【図１】瓶用乳首の正面図である。
【図２】左側からの見た瓶用乳首の図である。
【図３】瓶用乳首の上面図である。
【図４】同じ瓶用乳首の吸込用ニップルの上部の、図３の線ＩＶ−ＩＶに沿った縦断面図である。
【図５】吸込圧力を加えた場合の、同じ吸込用ニップルの上部領域の、切断面の拡大断面図である。
【発明を実施するための形態】
【００１８】
本発明を、この実現例の添付図面を用いて、以下により詳細に説明する。
瓶用乳首１は、中空の吸込用ニップル２を備え、瓶の開口領域に固定するために、中空の移行領域３を介して装着縁４に結合されている。
【００１９】
吸込用ニップル２は、外端部領域５に向かって先細りになっている楕円形の横断面を有する。装着縁４に最も近接した吸込用ニップル２の側面６は、装着縁４から離れて配置されている吸込用ニップル２の反対面７よりも小さな曲線部を有する。吸込用ニップル２の側面７は延びて、移行領域３に向かう凹状の丸み部８で終端する。
【００２０】
瓶用乳首２の外端部領域５は、外側に膨らんでいる、すなわち、これはドーム形状である。外端部領域５には、２つの飲用スロット９，１０があり、これらは縦断面が互いに対して傾斜している。一例では、２つの飲用スロット９，１０間の角度が、約２０度から３０度までである。飲用スロット９，１０は、瓶用乳首の外面１１から内面１２まで延びている。２つの飲用スロット９，１０間の角度のために、これらの間の距離は、吸込用ニップル２の外面１１から内面１２に向かって減少する。
【００２１】
吸込用ニップル２の外端部領域５の上面図では、飲用スロット９，１０が互いに対して並列して配置されている。
【００２２】
各飲用スロット９，１０は、さらなる飲用スロット１３，１４によって交差している。さらなる飲用スロット１３，１４もまた、互いに対して並列に配置されている。これらは、互いから一定の距離をおいて、吸込用ニップルの外面１１から内面１２まで延びている。さらなる飲用スロット１３，１４は、これらがそれぞれ設定されている飲用スロット９，１０のそれぞれよりも短い。さらなる飲用スロット１３，１４は、互いから離れている飲用スロット９，１０の端部の近傍に配置されている。
【００２３】
吸込用ニップル２は、段階的に移行領域３に移る。移行領域３では、瓶用乳首１が、装着縁４の大きな直径まで段階的に拡大する。移行領域３は、円周方向の外縁部１５を有する。丸縁状の外縁部１５と装着縁４との間に、円周方向の収縮部１６が存在する。
【００２４】
円周方向の外縁部１５の領域には、吸込用ニップル２の直径方向反対側に位置する凹部１７があり、装着縁４に対して偏心して配置されている。通気バルブ１８が、凹部１７の中にある。通気バルブ１８は、互いに交差する２つのバルブスロット１９，２０を特徴とする。バルブスロット１９，２０は、移行領域３の外面から内面まで延びている。
【００２５】
装着縁４は、基本的に、上縁部に円周方向のボス２２を有する平坦な装着フランジ２１を備える。
【００２６】
瓶用乳首の内部には中空の空間２３があり、装着縁４によって囲まれた開口部２４から、移行領域３および瓶用乳首２を通って、飲用スロット９，１０まで、かつ、さらなる飲用スロット１３，１４まで延びている。
【００２７】
使用時に、図示されていないネジ付きリングを用いて、流動食品で充填された図示されていない飲用瓶の開口部の縁部に、瓶用乳首１を固定する。
【００２８】
食物を取り除く場合、吸込用ニップル２が斜め下方に向くように飲用瓶を保持する。乳児が吸込用ニップルを吸い込む場合、２つの飲用スロット９，１０と、さらなる飲用スロット１３，１４とを通る特に大きな流れが可能となる。さらに、飲用スロット９，１０間の楔形の領域のために、瓶用乳首１が特にしっかりと閉止する。また、通気バルブ１６の寸法および構造は、圧力の補正に好都合であり、これによって、大きな流れとなる。
【図１】
2010536444.tif 000003
【図２】
2010536444.tif 000004
【図３】
2010536444.tif 000005
【図４】
2010536444.tif 000006
【図５】
2010536444.tif 000007
【手続補正書】
【提出日】平成22年2月8日(2010.2.8)
【手続補正１】
【補正対象書類名】特許請求の範囲
【補正対象項目名】請求項１５
【補正方法】変更
【補正の内容】
【請求項１５】
前記吸込用ニップル（２）が、前記装着縁（４）から離れた面に、前記移行領域（３）に向かう丸み部（８）を有する、請求項１４に記載の瓶用乳首。
【手続補正２】
【補正対象書類名】特許請求の範囲
【補正対象項目名】請求項１７
【補正方法】変更
【補正の内容】
【請求項１７】
前記外縁部（１５）と装着縁（４）との間に、円周方向の収縮部（１６）が存在する、請求項１から１６のいずれか一項に記載の瓶用乳首。
【手続補正３】
【補正対象書類名】特許請求の範囲
【補正対象項目名】請求項１９
【補正方法】変更
【補正の内容】
【請求項１９】
前記通気バルブ（１８）が、前記移行領域（３）の前記外面から前記移行領域（３）の前記内面まで延びる少なくとも１つのバルブスロット（１９、２０）を備えた、請求項１８に記載の瓶用乳首。
【手続補正４】
【補正対象書類名】明細書
【補正対象項目名】０００７
【補正方法】変更
【補正の内容】
【０００７】
【特許文献１】スイス国特許公開第３５７  １４９（Ａ）号
【手続補正５】
【補正対象書類名】明細書
【補正対象項目名】００２０
【補正方法】変更
【補正の内容】
【００２０】
吸込用ニップル２の外端部領域５は、外側に膨らんでいる、すなわち、これはドーム形状である。外端部領域５には、２つの飲用スロット９，１０があり、これらは縦断面が互いに対して傾斜している。一例では、２つの飲用スロット９，１０間の角度が、約２０度から３０度までである。飲用スロット９，１０は、瓶用乳首の外面１１から内面１２まで延びている。２つの飲用スロット９，１０間の角度のために、これらの間の距離は、吸込用ニップル２の外面１１から内面１２に向かって減少する。
【手続補正６】
【補正対象書類名】図面
【補正対象項目名】図２
【補正方法】変更
【補正の内容】
【図２】
2010536444.tif 000008
【国際調査報告】
2010536444.tif 000009
2010536444.tif 000010
2010536444.tif 000011
2010536444.tif 000012
2010536444.tif 000013
2010536444.tif 000014